(57)【要約】【課題】トッププレート下面と筐体外郭部上面の間に配置される自発光の表示デバイスと静電容量式のタッチキーから構成される操作表示モジュールを用いた加熱調理器を提供する。【解決手段】同一の表示面に複数の表示を切り替え可能な自発光の表示デバイスから構成される操作表示モジュール４を備え、操作表示モジュール４はトッププレート１の下面と筐体外郭部９の上面に配置することで、加熱調理器としての美観を損なわずに操作性を向上することができる。【選択図】図１
2014095495.tif 000002
【特許請求の範囲】
【請求項１】
被加熱物を載置するトッププレートと、キャビネットの上面開口に挿入される筐体と、前記トッププレートの下方で前記筐体の外周方向へ突出し、少なくとも一部分が前記キャビネットの上面に載置される筐体外郭部と、前記筐体内に設けられ被加熱物を加熱する加熱部と、前記加熱部に対応して設けられた静電容量式のタッチキーを有する操作表示モジュールとを備え、前記操作表示モジュールは前記タッチキーの各キーに対応したキー表示を自発光の表示デバイスにより表示し、前記タッチキーに対応した前記キー表示の表示内容は調理の状態に応じて変更可能とし、前記操作表示モジュールは前記トッププレートの下面と前記筐体外郭部の間に配置される加熱調理器。
【請求項２】
前記操作表示モジュールは、前記加熱部の加熱が継続できないときに発生するエラーコードの詳細説明を前記キー表示に代えて表示する構成とした請求項１に記載の加熱調理器。
【請求項３】
前記表示デバイスは、有機ＥＬを用いた請求項１〜２のいずれか１項に記載の加熱調理器。
【請求項４】
前記操作表示モジュールは絶縁体で構成されたケース部を備え、前記筐体外郭部から絶縁する構成とした請求項１〜３のいずれか１項に記載の加熱調理器。
【請求項５】
前記トッププレートの下面で、かつ、前記操作表示モジュールと前記加熱部の間に配置され操作情報に応じて前記加熱部の動作状態を表示する表示部とを備え、前記表示部は、前記操作表示モジュールよりも下方に設置した請求項１〜４のいずれか１項に記載の加熱調理器。
【請求項６】
前記操作表示モジュールは、静電容量の変化により被加熱物が近接したことを検知すると被加熱物が近接した旨の表示を行う構成とした請求項１〜５のいずれか１項に記載の加熱調理器。
【発明の詳細な説明】
【技術分野】
【０００１】
本発明は、高周波磁界による誘導加熱を利用して被加熱物の加熱を行う一般キッチンや業務用などに用いられる誘導加熱装置に関するものである。
【背景技術】
【０００２】
従来、この種の加熱装置は、トッププレート上に使用者が操作情報を入力する静電容量方式のタッチキーによる操作部と動作状態を表示するための液晶表示素子による表示部が設けられ、加熱部と同一線上で、かつ、操作部の間に液晶表示素子を配置する構成にしている（特許文献１参照）。また、導光板による光が導光され、導電膜で形成された操作をうながす図柄表示を光で浮かび上がらせる構成をしているものもある（特許文献２参照）。
【０００３】
図６は、特許文献１に記載された従来の加熱調理器の断面図である。被加熱物１０５を載置するトッププレート１０１と、被加熱物１０５を加熱する加熱部１０６と、使用者が操作情報を入力する静電容量方式のタッチキーを有する操作部１０２と、加熱部１０６の動作状態を表示するための液晶表示素子１０３を有する表示部１０４から構成されている。
【０００４】
図７は、特許文献２に記載された従来の加熱調理器の断面図である。筐体の上面に設けた電気絶縁性を有する板状部材のトッププレート２０１と、トッププレート２０１裏面に操作をうながす図柄表示２０２と、制御回路２０５に接続された発光部２０４と、発光部２０４の光を導光する導光板２０３と、筐体を固定するキャビネット２０６から構成されている。
【０００５】
上記構成において、操作部１０２と加熱部１０６の間に表示部１０４を加熱部１０６の中心から同一線上に配置することで、加熱部１０６に対応する操作部１０２と表示部１０４を関連付けることが可能である。また、トッププレート２０１とキャビネット２０６の間に、発光部２０４の光を導光板２０３により導光しトッププレート２０１上面に操作をうながす図柄表示２０２を浮かび上がらせる構成を配置することで操作する箇所を容易に判別できるようにすることが可能となる。
【先行技術文献】
【特許文献】
【０００６】
【特許文献１】特開２００５−３０２６３２号公報
【特許文献２】特開２００８−０９１１９３号公報
【発明の概要】
【発明が解決しようとする課題】
【０００７】
しかしながら、前記従来の構成では、調理メニューや機能が増えるにつれて、使用者が調理モード等を選択する際に操作部のスイッチの数が増えてわかり難くなってしまったり、操作の階層が深くなるなどの理由により操作部を押下する回数が多くなったりしてしまうので操作性に欠けるという課題を有していた。また、操作部を液晶表示素子を使用してキー表示をグラフィックで表示すると操作性を改善することができるが、操作部の高さが高くなるため操作部をキャビネットの上面開口の範囲に収める必要があり、使用者が操作しやすい手前付近に配置することが困難になる。また、キャビネットの上面とトッププレートの下面との間に液晶表示素子を使用したキー表示を配置することを考えた場合、キャビネットからトッププレートまでの高さを低く抑えて意匠性が高く使い勝手もよくした構
成においてはトッププレート下面と筐体外郭上面の間の隙間の高さが低く、そこに液晶表示素子を使用した操作部を配置することが厚さの面で困難であった。さらに、加熱調理機において液晶表示素子だけでは暗いキッチンなどでは表示が見え難くなるため、液晶表示素子の下にバックライトなどの発光する構成を設けることが求められているが、バックライトを設けるとより高さが高くなってしまう。また、表示部の空間高さを広げてトッププレート下面と筐体外郭上面の隙間に液晶表示素子とバックライトを配置できるような構成にすると、トッププレートがキャビネット上面に対してかなり高くなってしまい加熱調理器としての美観を損なうとともに使用者にとって使い勝手が悪くなるという課題を有していた。
本発明は、前記従来の課題を解決するもので、美観を損なわずに操作性の向上を図ることができる加熱調理器を提供することを目的とする。
【課題を解決するための手段】
【０００８】
前記従来の課題を解決するために、本発明の加熱調理器は、被加熱物を載置するトッププレートと、キャビネットの上面開口に挿入される筐体と、前記トッププレートの下方で前記筐体の外周方向へ突出し、少なくとも一部分が前記キャビネットの上面に載置される筐体外郭部と、前記筐体内に設けられ被加熱物を加熱する加熱部と、前記加熱部に対応して設けられた静電容量式のタッチキーを有する操作表示モジュールとを備え、前記操作表示モジュールは前記タッチキーの各キーに対応したキー表示を自発光の表示デバイスにより表示し、前記タッチキーに対応した前記キー表示の表示内容は調理の状態に応じて変更可能とし、前記操作表示モジュールは前記トッププレートの下面と前記筐体外郭部の間に配置する構成としたものである。
【０００９】
これによって、液晶表示素子を使用する上では必須の構成であったバックライトを使用する必要がないので、操作表示モジュールの薄型化が可能であり、加熱調理器としての美観を損なわない加熱調理器を提供することができる。また、操作表示モジュールに表示されるキー表示を同一の表示位置において異なるキー表示に切り替える事が可能であるので、使用可能なキー表示のみを分かりやすく操作しやすいようにバランスよく配置することができ、使用者が調理モード等を選択する際に操作部を押下する回数を少なくすることができ、操作性の向上を実現する加熱調理器を提供することができる。
【発明の効果】
【００１０】
本発明の加熱調理器は、加熱調理器としての美観を損なわずに操作性の向上を実現する加熱調理器を提供することができる。
【図面の簡単な説明】
【００１１】
【図１】本発明の実施の形態１における加熱調理器の断面図
【図２】本発明の実施の形態１における加熱調理器の上面図
【図３】本発明の実施の形態１における加熱調理器の加熱モード時の上面図
【図４】本発明の実施の形態２における加熱調理器の上面図
【図５】本発明の実施の形態３における加熱調理器の上面図
【図６】従来の加熱調理器における断面図
【図７】従来の加熱調理器における断面図
【発明を実施するための形態】
【００１２】
第１の発明は、被加熱物を載置するトッププレートと、キャビネットの上面開口に挿入される筐体と、前記トッププレートの下方で前記筐体の外周方向へ突出し、少なくとも一部分が前記キャビネットの上面に載置される筐体外郭部と、前記筐体内に設けられ被加熱物を加熱する加熱部と、前記加熱部に対応して設けられた静電容量式のタッチキーを有する操作表示モジュールとを備え、前記操作表示モジュールは前記タッチキーの各キーに対
応したキー表示を自発光の表示デバイスにより表示し、前記タッチキーに対応した前記キー表示の表示内容は調理の状態に応じて変更可能とし、前記操作表示モジュールは前記トッププレートの下面と前記筐体外郭部の間に配置される構成とすることで、液晶表示素子では必須であったバックライト部を自発光の表示デバイスを使用することで無くすことができるので、操作表示モジュールの薄型化が可能であり、加熱調理器としての美観を損なわない加熱調理器を提供することができる。また、同一の表示面に複数の表示を切り替える事が可能であるので、使用者が調理モード等を選択する際に操作部を押下する回数を少なくすることができ、操作性の向上を実現することができる。
【００１３】
第２の発明は、特に、第１の発明の加熱調理器において、前記操作表示モジュールは、前記加熱部の加熱が継続できないときに発生するエラーコードの詳細説明を前記キー表示に代えて表示する構成とすることで、エラーが発生した際の解除方法等を表示させ、使用者に対して視覚的に情報を伝達することができる。
【００１４】
第３の発明は、特に、第１または第２の発明の加熱調理器において、前記表示デバイスは、有機ＥＬを用いる構成とすることで、液晶パネルやプラズマパネルと比較して厚みを抑制することができ操作表示モジュールの薄型化が可能であり、さらには低電圧で発光することが可能であるので消費電力を低減することができる。
【００１５】
第４の発明は、特に、第１〜３のいずれか１つの発明の加熱調理器において、前記操作表示モジュールは絶縁体で構成されたケース部を備え、前記筐体外郭部から絶縁する構成とすることで、筐体アースと接続されている筐体外郭部上面との絶縁を確保し操作表示モジュールの破壊を防ぐと共に、トッププレート下面と筐体外郭部上面との隙間に操作表示モジュールを固定または位置決めする固定具としての役割も果たすことができるので、絶縁性と位置安定性に優れた構成となっている。
【００１６】
第５の発明は、特に、第１〜４のいずれか１つの発明の加熱調理器において、前記トッププレートの下面で、かつ、前記操作表示モジュールと前記加熱部の間に配置され操作情報に応じて前記加熱部の動作状態を表示する表示部とを備え、前記表示部は、前記操作表示モジュールよりも下方に設置することで、被加熱物がずらされた場合を考慮すると、温度上昇が高い表示部を被加熱物から遠ざける構成をとることで、構造的に耐熱性を持たせることができるので、温度上昇の影響を緩和することが可能な加熱調理器を提供することができる。
【００１７】
第６の発明は、特に、第１〜５のいずれか１つの発明の加熱調理器において、前記操作表示モジュールは、静電容量の変化により被加熱物が近接したことを検知すると被加熱物が近接した旨の表示を行う構成とすることで、高温な被加熱物が操作表示モジュールの真上に接近する前に報知を行うことで、操作表示モジュールの温度上昇を緩和することが可能な加熱調理器を提供することができる。
【００１８】
以下、本発明の実施の形態について、加熱調理器を例にして、図面を参照しながら説明する。なお、この実施の形態によって本発明が限定されるものではない。
【００１９】
（実施の形態１）
図１は本発明の第１の実施の形態における加熱調理器の断面図を示す。
【００２０】
図１において、本発明の第１の実施の形態における加熱調理器は、製品の外郭を為す筐体１２と、筐体１２の上面に設けた電気的絶縁性を有する板状部材のトッププレート１と、筐体１２内に設けられトッププレート１に載置した被加熱物を加熱する加熱部２と、筐体１２をキャビネット５の上面開口に挿入してキッチンと固定し、トッププレート１の下
方かつトッププレート１の領域内に位置し筐体１２から筐体１２の外周方向へ突出し、少なくともその一部分がキャビネット５の上面に重なるように載置される筐体外郭部９と、トッププレート１の下面とキャビネット５の上面の間に配置され、使用者が操作情報を入力するための静電容量式のタッチキーを用いた操作機能と自発光する表示デバイスを用いた表示機能を備えた操作表示モジュール４と、操作表示モジュール４と加熱部２との間の下方に配置され操作情報に応じて加熱部２の動作状態を表示する発光ダイオード等で構成された表示部３と、表示部３と操作表示モジュール４を電気的に制御する制御基板６と、操作表示モジュール４に電気的信号を送信する制御基板６のコネクタに挿入するフラットケーブル８と、操作表示モジュール４を筐体外郭部９から電気的に絶縁する絶縁体で構成した絶縁ケース部７と、トッププレート１と筐体外郭部９を合わせた周囲部において略コの字状にトッププレート１と筐体外郭部９を挟持するフレーム１１から構成されている。
【００２１】
図２は本発明の第１の実施の形態における加熱調理器の上面図を示す。
【００２２】
図２において、本発明の第１の実施の形態における加熱調理器は、筐体とキッチンを固定するキャビネット５と、加熱部２と操作表示モジュール４の間に配置される加熱部２の動作状態を表示する表示部３から構成されている。操作表示モジュール４は複数の入力スイッチを有しており、各々の入力スイッチは自発光の表示デバイスにより各々のキー表示が表示され、各々のキー表示を使用者が触れるとタッチキーによるスイッチ入力がされるようになっている。使用者が加熱部２の上に鍋などを置いてメニューキー４ｂにタッチすると調理メニューを選択でき、加熱入／切キー４ａをタッチすると選択された調理メニューにて加熱が開始され、指定した火力で加熱を行う加熱モードにおいてアップキー４ｃにタッチすると火力が強くなり、ダウンキー４ｄにタッチすると火力が弱くなり、加熱前の待機モードおよび加熱モードにおいてタイマーアップキー４ｅまたはタイマーダウンキー４ｆにタッチするとタイマー時間を設定できる状態になり、その際タイマーアップキー４ｅにタッチした場合はタイマー時間が増加し、タイマーダウンキー４ｆにタッチするとタイマー時間が減少するようにしている。
【００２３】
また、図３は本実施の形態における加熱調理器の加熱モード時の上面図を示している。
【００２４】
図３において、調理鍋などの被加熱物１０は２つの加熱部２のうち左側の加熱部２の直上のトッププレート１上に載置されている。図２の加熱入／切キー４ａにタッチして加熱モードを開始すると加熱入／切キー４ａおよびメニューキー４ｂが消滅して加熱切キー４ｇが新たに表示される。また、同時にアップキー４ｃおよびアップキー４ｄはキー表示の大きさが横に広くなり、タッチ入力範囲もキー表示に追従するようにしている。
【００２５】
以上のように構成された加熱調理器について、以下その動作、作用を説明する。
【００２６】
まず、加熱部２の左側の領域に調理物の入った調理鍋である被加熱物１０を載置し、使用者は加熱入／切キー４ａにタッチすると、左側の加熱部２により被加熱物１０の加熱が開始される。表示部３の左側の領域には被加熱物１０を加熱部２が加熱している火力が表示され、加熱入／切キー４ａをタッチした直後の初期火力は中であり、表示部３の弱および中のランプが点灯し、強のランプが消灯することで火力が中であることを表示している。
【００２７】
加熱入／切キー４ａをタッチして加熱モードが開始された時点から操作表示モジュール４内の加熱入／切キー４ａが消滅して加熱切キー４ｇが新たに表示され、加熱切キー４ｇは加熱入／切キー４ａに対してバックの色を例えば赤などの目立つ色に変更して、キー表示の枠も二重線で囲うようにして他のキー表示に比べてすぐに場所が分かるようにするとともに加熱されていない例えば右側の加熱部２に対応する操作表示モジュール４の右側の
領域には目立つ色のキー表示が無いため、操作表示モジュールの領域を見るだけで加熱中の加熱部２が分かり、すぐに加熱停止したいときにも迷うことなく操作することができる。
【００２８】
加熱モードでは使用しないキー表示であるメニューキー４ｂは、加熱モードにおいてはキー表示を消滅して誤操作を防ぐとともに他のキー表示を大きくしたり形状を変えたりする際に使用できるスペースを確保している。
【００２９】
なお、キー表示の大きさが変わることによるタッチ入力範囲の追従は、静電タッチキー入力単位を小さくして１つのキー表示に対応して複数の静電タッチキー入力を設けてキー表示の大きさが変更されたときには対応する静電タッチキー入力の対応を変更するようにすることで実現できるが、他の方法としては、キー入力をタッチ位置入力デバイスによりタッチ位置を入力として、キー表示位置に対応したタッチ位置が入力されたかを検知してキー入力の判断を行うものでもよい。もちろん、各々のキー表示の大きさを変更しないでキー表示の表示内容と機能の割り当てだけを変更または位置交換するのみを行うか、またはキー表示の中心位置を移動しないでタッチ入力に影響の無い範囲でキー表示の大きさを変更するようにした場合はキー入力方法は従来のように位置固定の入力方法で問題ない。
【００３０】
これにより、操作表示モジュール４の薄型化が実現でき加熱調理器としての美観を損なわず、さらに、同一の表示面に複数の表示を切り替え可能であるので、操作性の向上を図ることができる。また、操作表示モジュール４またはキャビネット５との短絡破壊を防ぐことができる。
【００３１】
以上のように、本実施の形態においては従来の液晶表示素子による表示構成ではバックライト部が必須であったが、自発光する表示デバイスを用いることでバックライト部を削除することが可能であり薄型化を実現することで、トッププレート１の下面と筐体外郭部９の上面に操作機能と表示機能を兼ね揃えた操作表示モジュール４を配置することができるので、加熱調理器としての美観を損なうことがない。
【００３２】
また、自発光する表示デバイスを用いることで表示面の画面を自由自在に切り替えが可能となり、図１に示すような従来の光を導光して浮かび上がらせる操作表示ボタンを表示する構成を取り従来通りの操作性を実現することも可能であるが、使用者例えば年配の方が操作する場合は、従来の操作表示ボタンの数を減らす代わりに操作表示ボタンのサイズを大きくし、表示される図柄を大きく見やすくすることで操作性を向上することが可能である。さらには、電源スイッチをオン時に加熱モード・ふきこぼれモード・揚げ物モード・焼き物モード・自動湯沸しモードといった５つのモードを操作表示ボタンを一列に並べることで、使用者が調理したいモードを一目で確認することができるので、操作性を向上することが可能である。
【００３３】
操作表示モジュール４は、液晶素子やプラズマ素子よりも薄型化が可能である有機ＥＬを用いることで薄型化を実現するとともに、有機ＥＬは他の表示デバイスと比較し画質の良さや消費電力の低さにも利点がある。
【００３４】
さらに、操作表示モジュール４の少なくとも下面を絶縁ケース部７を構成する絶縁物で覆うことでアースに接続された筐体外郭部９またはキャビネット５との短絡破壊を回避することができるとともに、操作表示モジュール４をトッププレート１の下面と筐体外郭部９の上面の限られた隙間に固定または位置決めする固定具としての役割も担うことが可能であり、構造的にも強度を増し、操作表示ボタンの表示位置精度を良くした加熱調理器を提供することが可能である。
【００３５】
また、表示部３や操作表示モジュール４などの電子部品は耐熱スペックが約８５℃であるのが一般的である。したがって、高温な被加熱物が表示部３や操作表示モジュール４の上部までずらされた場合、耐熱の観点から厳しい表示部３は操作表示モジュール４よりも下方に設置し、制御基板６を冷却する構成をとることで耐熱スペックを越えないように配慮するとともに、制御基板６の上部には有効スペースが存在しているので、電解コンデンサ等の背の高いラジアル部品を配置することも可能であり、基板設計の高さ制約を緩和可能な構造ともなっている。
【００３６】
また、操作表示モジュール４はトッププレート１の手前側端部付近に設けられるので、万一高温な被加熱物が操作表示モジュール４の真上に置かれた場合でも、すぐ手前の端部にはトッププレート１よりも一段高く、トッププレート１の端部を囲うように設けられたフレーム１１の上に被加熱物１０が乗り上げるので、トッププレート１に面で接することが無く、トッププレート１を経由した操作表示モジュール４への熱の伝導が抑えられるように作用する。一方、フレーム１１の上に被加熱物１０が乗り上げない位置に被加熱物１０が置かれた場合は、一般に鍋の底は円形でかつ底角部が丸みを帯びた形状になっている場合が多いため、トッププレート１の端部に配置した操作表示モジュール４の上部には被加熱物１０である鍋底の円形の端の角が丸くなった一部が位置するのみとなり、操作表示モジュール４への熱の伝導が急激に起こりにくい。
【００３７】
加熱部２が高周波ノイズを発生するような誘導加熱調理機器の場合、加熱部２に対して操作表示モジュール４の距離を遠ざけることで、高周波ノイズの影響を受けにくくする利点もある。さらに、操作表示モジュール４を制御基板６と接続するフラットケーブル８の接続部は、筐体外郭部９の近辺に設けることで操作表示モジュール４との接続距離を可能な限り短い構成とすることにより、高周波ノイズを低減することも可能である。
【００３８】
なお、本発明の実施の形態においては、表示する文字や図柄を大きくしたり小さくしたりすることだけでなく、動作状態に応じて文字や図柄をモノクロではなくカラーで見やすく表示したりと使用者の環境に応じて表示を変化するのが最善の状態であるのでこれに限定されるものではない。
【００３９】
（実施の形態２）
図４は本発明の第２の実施の形態における加熱調理器の上面図を示す。
【００４０】
図４において、図２と同様の構成のため省略する。
【００４１】
以上のように構成された加熱調理器について、以下その動作、作用を説明する。
【００４２】
まず、前記操作表示モジュール４は、誤使用により発生するエラーコードの詳細説明を表示することが可能であるので、使用者に対して視覚的に情報を伝達することができる。
【００４３】
以上のように、本実施の形態においては、操作表示モジュール４の構成を自発光する表示デバイスを用いることで、同一の表示面に文章を表示させることが可能であるので、使用者が誤使用することで発生するエラーコードを表示すると共に、そのエラーコードの詳細説明及び解除方法を１つの画面で並べて表示することが可能であるので、使用者に対して視覚的に情報を伝達することができる。
【００４４】
図４は、左側の加熱部２の排気パネルに布巾等が置かれて排気ができない状態を示すＵ０４のエラーコードを表示し、Ｕ０４の横上段にエラーコードの詳細説明を、横下段に解除方法を示している。また、右側の加熱部２の被加熱物が空焼きとなり加熱部２の温度が上昇している状態を示すＵ１４のエラーコードを表示し、Ｕ１４の横上段にエラーコード
の詳細説明を、横下段に解除方法を示している。
【００４５】
エラーコードが発生した場合は、操作不能となるので正常状態で表示していた画面から切り替えて表示全面をエラーコードや詳細説明を表示することで、エラー中は操作が不可能である旨を使用者に間接的に伝達することが可能である。
【００４６】
なお、本発明の実施の形態においては、詳細説明と解除方法を同時に表示している構成をとっているが、表示する文章の文字を大きくするために、詳細説明を表示した後に解除方法を表示するといった手段や、右側から左側へ流れるテロップで表示するといった手段もあり、これに限定されるものではない。
【００４７】
（実施の形態３）
図５は、本発明の第３の実施の形態における加熱調理器の上面図を示す。
【００４８】
図５において、図２と同様の構成のため省略する。
【００４９】
以上のように構成された加熱調理器について、以下その動作、作用を説明する。
【００５０】
まず、操作表示モジュール４は、静電容量の変化により被加熱物１０がずらされて近接することを検知することができるので、耐熱スペックをオーバーする前に使用者に被加熱物１０がずれて配置されている旨を報知し操作表示モジュール４の温度上昇を緩和することができる。
【００５１】
以上のように、本実施の形態においては、静電容量式のタッチキーを有した操作表示モジュール４を用いることで、被加熱物１０が操作表示モジュール４に近接した際の容量変化を検知することが可能であり、高温な被加熱物１０が操作表示モジュール４の真上にずらされて配置される前に使用者に被加熱物１０が加熱部２の加熱エリアから外れて配置されている旨を報知することで、操作表示モジュール４の温度上昇を緩和し破壊を事前に防ぐことが可能である。
【００５２】
図５は、右側の加熱部２の被加熱物１０が下方にずらされて操作表示モジュール４に近接している場合にエラーコードを表示し、Ｕ７０の横上段にエラーコードの詳細説明を、横下段に解除方法を示している。
【００５３】
なお、本発明の実施の形態においては、詳細説明と解除方法を同時に表示している構成をとっているが、表示と同時に音声にて使用者に聴覚的に注意喚起を行う手段や表示と同時に操作表示モジュール４を冷却するために、ファン速度を最大となる制御を行うことで操作表示モジュール４の温度を下げる手段などがあり、これに限定されるものではない。
【産業上の利用可能性】
【００５４】
以上のように、本発明にかかる加熱調理器は、トッププレートの下面とキャビネットの上面の間に自発光の表示デバイスにより表示される静電容量式のタッチキーを有し、タッチキーに対応した表示を変更可能とした操作表示モジュールを配置することで、加熱調理器としての美観を損なわずに操作性を向上することが可能であり、組み込み式や置台の上で使用する据え置き型等で、家庭用または業務用の加熱調理器に有効である。
【符号の説明】
【００５５】
１  トッププレート
２  加熱部
３  表示部
４  操作表示モジュール
５  キャビネット
６  制御基板
７  絶縁ケース部
９  筐体外郭部
１０  被加熱物
１２  筐体
【図１】
2014095495.tif 000003
【図２】
2014095495.tif 000004
【図３】
2014095495.tif 000005
【図４】
2014095495.tif 000006
【図５】
2014095495.tif 000007
【図６】
2014095495.tif 000008
【図７】
2014095495.tif 000009